(57)【要約】【課題】  本発明は釣竿ケースに関し、ショルダーベルトを肩に掛けて釣竿ケースを持ち運ぶような場合に、ケース本体に取り付くハンドルが身体に当たって圧迫感を感じることのない釣竿ケースを提供することを目的とする。【解決手段】  請求項１に係る発明は、筒状のケース本体にハンドルを取り付けた釣竿ケースに於て、上記ハンドルに対応してケース本体に、凹部を設けたことを特徴とする。  そして、請求項２に係る発明は、請求項１に記載の釣竿ケースに於て、ハンドルは握持部を有し、当該握持部が、ケース本体に設けた凹部内に収納可能となっていることを特徴とし、請求項３に係る発明は、請求項１または請求項２に記載の釣竿ケースに於て、ハンドルが凹部内に設けられていることを特徴とする。【選択図】    図２
2006061087.tif 000002
【特許請求の範囲】
【請求項１】
筒状のケース本体にハンドルを取り付けた釣竿ケースに於て、
上記ハンドルに対応してケース本体に、凹部を設けたことを特徴とする釣竿ケース。
【請求項２】
ハンドルは握持部を有し、当該握持部が、ケース本体に設けた凹部内に収納可能となっていることを特徴とする請求項１に記載の釣竿ケース。
【請求項３】
ハンドルが、凹部内に設けられていることを特徴とする請求項１または請求項２に記載の釣竿ケース。
【発明の詳細な説明】
【技術分野】
【０００１】
本発明は、釣竿を収納して携帯する釣竿ケースに関する。
【背景技術】
【０００２】
従来、釣人は、壊れ易い釣竿を釣竿ケースに収納して釣場に携帯している。
図１０に示すように釣竿ケース１は、釣竿を収容する筒状のケース本体３と、当該ケース本体３の底部に取り付く樹脂成形品のボトムカップ（底皿体）とを備え、ケース本体３の側面には、釣竿ケース１を肩に掛けて持ち運ぶためのショルダーベルト５や釣竿ケース１を手で持ち運ぶためのハンドル（把手）７を始め、小物用のフロントポケットやサイドポケット９等が取り付けられている。
【０００３】
而して、上記ハンドル７は、一般的に織布、または合成樹脂，布帛，皮革等で形成されて両端側がケース本体３に縫着された帯状のベルト体１１と、当該ベルト体１１に取り付く塩化ビニル，ウレタン等の合成樹脂で形成された厚肉な握持部１３とで構成されており、握持部１３を握って釣竿ケース１を持ち運ぶ際にショルダーベルト５が地面に触れて汚れてしまうことがないように、ハンドル７はショルダーベルト５と取付面（ケース本体１の前面１５）を同じくしてその内側に取り付けられている。
【０００４】
そして、釣竿ケース１は、接地衝撃から釣竿を保護するため、上述したようにケース本体３の底部に樹脂成形品のボトムカップを装着してケース本体３の底部を塞ぎ、また、ケース本体３に防水素材を用いたり防水構造のファスナー１７を用いて、内部への水の浸入を防止している。
【特許文献１】特開２００２−２１８８８９号公報
【発明の開示】
【発明が解決しようとする課題】
【０００５】
しかし乍ら、従来、この種の釣竿ケース１は、図１０に示すようにケース本体３から外方（前方）へ突出するようにショルダーベルト５と取付面を同じくしてハンドル７がその内側に取り付けられているため、ショルダーベルト５を肩に掛けて釣竿ケース１を持ち運ぶ際に、ハンドル７が身体に当たって圧迫感があり、この対策が望まれていた。
本発明は斯かる実情に鑑み案出されたもので、ショルダーベルトを肩に掛けて釣竿ケースを持ち運ぶような場合に、ケース本体に取り付くハンドルが身体に当たって圧迫感を感じることのない釣竿ケースを提供することを目的とする。
【課題を解決するための手段】
【０００６】
斯かる目的を達成するため、請求項１に係る発明は、筒状のケース本体にハンドルを取り付けた釣竿ケースに於て、上記ハンドルに対応してケース本体に、凹部を設けたことを特徴とする。
そして、請求項２に係る発明は、請求項１に記載の釣竿ケースに於て、ハンドルは握持部を有し、当該握持部が、ケース本体に設けた凹部内に収納可能となっていることを特徴とし、請求項３に係る発明は、請求項１または請求項２に記載の釣竿ケースに於て、ハンドルが凹部内に設けられていることを特徴とする。
【発明の効果】
【０００７】
請求項１及び請求項３に係る発明によれば、例えばショルダーベルトを肩に掛けて釣竿ケースを持ち運ぶ際に、ショルダーベルトの内側に装着されたハンドルを凹部内に収納しておけば、ハンドルが身体に当たって圧迫することによる圧迫感が緩和されて、釣竿ケースの携帯性が良好となった。
而も、凹部内に収納したハンドルを容易に凹部の外側に引き出すことができるため、ハンドルによる釣竿ケースの持ち運びに何ら支障を来すこともない。
【０００８】
そして、請求項２に係る発明にあっても、例えばショルダーベルトを肩に掛けて釣竿ケースを持ち運ぶ際に、ショルダーベルトの内側に装着されたハンドルの握持部を凹部内に収納しておけば、握持部が身体に当たって圧迫することによる圧迫感が緩和されて、釣竿ケースの携帯性が良好となり、また、凹部内に収納したハンドルの握持部を容易に凹部の外側に引き出すことができるため、ハンドルによる釣竿ケースの持ち運びに何ら支障を来すことがない。
【発明を実施するための最良の形態】
【０００９】
以下、本発明の実施形態を図面に基づいて詳細に説明する。
図１乃至図３は請求項１及び請求項２の第一実施形態に係る釣竿ケースを示し、図１に於て、２１は所定形状に裁断された１枚のシートを筒状に屈曲して形成した釣竿ケース２３のケース本体（胴部）で、その底部は、ケース本体２１の成形材料より剛性の大きい樹脂材料で形成された断面コ字状のボトムカップ（底皿体）２５内に差し込まれて、その側壁２７に全周が縫糸で縫着されて止着されている。
【００１０】
而して、従来と同様、ケース本体２１を構成するシートは、所定形状に裁断した１枚のポリウレタンやエチレン酢酸ビニル等の合成樹脂やゴム等の発泡材シート（独立気泡発泡材または連続気泡発泡材）の表裏に、ナイロンやポリプロピレン等の薄い外布と内布を添設した積層構造をなし、ケース本体２１を構成するシートの突合わせ端部がケース本体２１の開口部とされている。
【００１１】
そして、上記開口部に、スライダー２９の操作で当該開口部をケース本体２１の頂部からボトムカップ２５に亘って開閉するファスナー（スライドファスナー）３１が取り付けられている。
また、ケース本体２１の前側外周面３３に、ショルダーベルト３５がケース本体２１の長手方向に沿って取り付くと共に、ショルダーベルト３５と取付面を同じくしてその内側に、手提げ用のハンドル３７がケース本体２１の長手方向に沿って取り付き、更にケース本体２１の一側面に小物用のサイドポケット（小物入れ）３９が取り付けられている。
【００１２】
図２及び図３に示すようにハンドル３７は、ケース本体２１の長手方向の中央側に設けられ、ウレタン等の合成樹脂やゴムで断面楕円形状に形成されてケース本体２１の長手方向に沿って配置された厚肉な握持部４１と、当該握持部４１の長手方向に沿ってその中央を貫通して固着された帯状のベルト体（握持部４１の支持部材）４３からなり、握持部４１は握持し易いようにベルト体４３より厚肉に形成され、また、ベルト体４３は柔軟性を有する合成樹脂の織布等で形成されて、握持部４１の両側から突出して握持部４１をケース本体２１に取り付けている。そして、ベルト体４３の長手方向の上下端部４５，４７が、夫々、ケース本体２１の前側外周面３３に縫糸４９で縫着されて止着され、ケース本体２１に対し握持部４１を揺動可能に支持している。
【００１３】
そして、本実施形態に係る釣竿ケース２３は、上述の如き従来と同様の構成に加え、図１乃至図３に示すように上記ハンドル３７に対応してケース本体２１の前側外周面３３に、凹部５１を設けたことを特徴とする。
図２及び図３に示すように凹部５１は中央部が深く、中央部から周縁部にかけて徐々に浅くなる断面円弧状で、ケース本体２１の長手方向が長径な平面視楕円形状に形成されており、図１に示すようにベルト体４３の上下端部４５，４７が、夫々、凹部５１の外側の上下位置に止着されている。
【００１４】
而して、上記凹部５１は、ケース本体２１の製造に先立ち、予め加熱した金型で発泡材シートを押圧し変形させて設けており、このため、上述したように本実施形態はケース本体２１の材料に発泡材シートを用いて、加工の便に供している。
そして、図３に示すように凹部５１は握持部４１より幅広に形成されており、図２及び図３の実線で示すようにハンドル３７の不使用時には、握持部４１が余裕を持って凹部５１内に入り込んで握持部４１全体が全て収納され、また、ハンドル３７を使用して釣竿ケース２３を持つときは、凹部５１内に収納された握持部４１の周辺から凹部５１内に手を差し込んで握持部４１を握ることができ、握持部４１を握ると、ベルト体４３の柔軟性によって握持部４１を凹部５１の外側に引き出すことができるようになっている。
【００１５】
尚、本実施形態では、握持部４１が余裕を持って凹部５１内に収まるように構成したが、握持部４１全体が凹部５１内に嵌合するように凹部を形成してもよい。
また、本実施形態は、握持部４１全体が凹部５１内に収まるように形成したが、凹部５１はその周辺のケース本体２１の表面より凹んで形成され、少なくともハンドル３７の握持部４１がケース本体２１の凹部５１の周辺の表面より内側へ少しでも入り込むように位置すればよく、握持部４１を押し込んだ際に、多少その一部がケース本体２１から外方へ突出する深さの凹部をハンドル３７に対応して設けてもよい。
【００１６】
而して、このように形成しても、握持部４１が凹部５１に入り込む分、握持部４１の突出が少なくなって身体に当たったときの圧迫感が緩和される。而も、ケース本体２１が柔軟性を有する材料で形成されているため、握持部４１によって押圧されると変形して衝撃を緩和し、これによって圧迫感が少なくなる。
本実施形態に係る釣竿ケース２３はこのように構成されているから、ショルダーベルト３５を肩に掛けて釣竿ケース２３を持ち運ぶ際に、図２及び図３の実線で示すようにハンドル３７の握持部４１全体を凹部５１内に収納しておけば、図１０の従来例と異なり、ハンドル３７の握持部４１が身体に当たることがない。
【００１７】
また、凹部５１に収納した握持部４１が釣竿ケース２３の傾きによって凹部５１から外側に出ることがあるが、身体を圧迫することはない。
そして、ハンドル３７を使用して釣竿ケース２３を持つときは、既述したように凹部５１内に収納された握持部４１の周辺から凹部５１内に手を差し入れて握持部４１を握れば、ベルト体４３の柔軟性によって握持部４１を凹部５１の外側に引き出すことができる。
【００１８】
このように本実施形態は、ハンドル３７に対応してケース本体２１にハンドル３７の握持部４１全体が収納可能な凹部５１を設けて、ショルダーベルト３５を肩に掛けて釣竿ケース２３を持ち運ぶ際に、図２及び図３の如くハンドル３７の握持部４１全体を凹部５１内に収納可能としたので、握持部４１によって身体を圧迫することがなくなり、このため、ハンドル３７による圧迫感が緩和されて釣竿ケース２３の携帯性が良好となった。
【００１９】
而も、凹部５１内に収納した握持部４１を容易に凹部５１の外側に引き出すことができるため、ハンドル３７による釣竿ケース２３の持ち運びに何ら支障を来すこともない。
尚、本実施形態では、ベルト体４３を凹部５１の外側のケース本体２１に取り付けたが、ベルト体４３を凹部５１内に取り付けて、握持部４１が凹部５１内に収納されるようにしてもよい。
【００２０】
図４乃至図６は請求項１及び請求項２の第二実施形態に係る釣竿ケースを示し、図示するように本実施形態は、図１の凹部５１に代え、ケース本体２１の上下方向のみに段部５３，５５を有する落ち込んだ形状の凹部５７を、ハンドル３７に対応してケース本体２１の前側外周面３３に設けたもので、凹部５７の左右方向はケース本体２１と周方向へ面一とされている。
【００２１】
そして、図５及び図６に示すように本実施形態に於ても、ハンドル３７のベルト体４３の上下端部４５，４７が、夫々、凹部５７（段部５３，５５）の外側の上下位置に止着されて、握持部４１全体が段部５３，５５間の凹部５７内に全て収納されるようになっている。
尚、本実施形態に係る釣竿ケース５９のその他の構成は図１の実施形態と同様であるので、同一のものには同一符号を付してそれらの説明は省略する。
【００２２】
本実施形態はこのように構成されているから、ショルダーベルト３５を肩に掛けて釣竿ケース５９を持ち運ぶ際に、図５及び図６の実線で示すようにハンドル３７の握持部４１全体を凹部５７内に収納しておけば、図１０の従来例と異なり、ハンドル３７の握持部４１が身体に当たることがない。
そして、ハンドル３７を使用して釣竿ケース５９を持つときは、凹部５７内に収納された握持部４１の左右方向から手を差し込んで握持部４１を握れば、ベルト体４３の柔軟性によって握持部４１を凹部５１の外側に引き出すことができる。
【００２３】
このように本実施形態も、ハンドル３７に対応してケース本体２１にハンドル３７の握持部４１全体が収納可能な凹部５７を設けて、ショルダーベルト３５を肩に掛けて釣竿ケース５９を持ち運ぶ際に、図５及び図６の如くハンドル３７の握持部４１全体を凹部５７内に収納可能としたので、握持部４１によって身体を圧迫することがなくなり、因って、図１の実施形態と同様、ショルダーベルト３５を肩に掛けて釣竿ケース５９を持ち運ぶ際に、ハンドル３７による圧迫感が緩和されて釣竿ケース５９の携帯性が良好となった。
【００２４】
また、本実施形態は、凹部５７の左右方向をケース本体２１と周方向へ面一に形成したため、図１の実施形態に比し、握持部４１の左右方向から手を差し込んで握持部４１をより握持し易い利点を有する。
図７乃至図９は請求項１乃至請求項３の一実施形態に係る釣竿ケースを示し、以下、本実施形態を図面に基づいて説明するが、本実施形態に於ても、図１の実施形態と同一のものには同一符号を付してそれらの説明は省略する。
【００２５】
図７乃至図９に於て、６１は周縁部に断面Ｌ字状の取付フランジ６３が外方へ突設されて、その内側に有底の凹部６５が形成された硬質の合成樹脂からなる平面視楕円形状の皿状部材で、ショルダーベルト３５が取り付くケース本体２１側の前側外周３３には、同じく平面視楕円形状の取付孔６７がケース本体２１の長手方向に沿って設けられており、当該取付孔６７を閉塞するように皿状部材６１がケース本体２１の外側から取付孔６７に嵌合して、取付フランジ６３が取付孔６７周縁のケース本体２１に縫糸４９で縫着されて止着されている。
【００２６】
従って、本実施形態では、特許請求の範囲の請求項１に記載した凹部が、ケース本体２１に別体に形成して取り付けた皿状部材６１に形成されている。
そして、上記凹部６５内に、硬質の合成樹脂からなる上下一対の支持部材６９を介して、ハンドル７１がケース本体２１の長手方向に沿って取り付けられている。
図８に示すように支持部材６９は、その表面側から裏面側に亘って長さの異なる２本のリベット７３，７５が挿通する２本の筒状の軸部７７，７９が裏面側に一体成形されており、支持部材６９は両軸部７７，７９を挿通するリベット７３，７５によって凹部６５の底部８１に止着されている。
【００２７】
一方、ハンドル７１は、可撓性を有する合成樹脂やゴムで断面矩形状に形成されてケース本体２１の長手方向に配置される厚肉な握持部８３と、当該握持部８３の長手方向の両端部に取り付けられた平面視略矩形状のリング状係止具８５とからなり、図８の実線で示すように当該リング状係止具８５が支持部材６９の内側軸部７７に遊びを持って係止して、ハンドル７１が凹部６５内に取り付けられている。
【００２８】
従って、支持部材６９とリング状係止具８５が、握持部８３を皿状部材６１に取り付けるための支持部となっている。
そして、図８の二点鎖線で示すようにハンドル７１は、握持部８３を握って引き上げると、遊びを以って軸部７７に係止されたリング状係止具８５の係止位置がずれて、握持部８３が撓みながら凹部６５から引き出されるようになっている。
【００２９】
尚、図９に示すように本実施形態では、ハンドル７１が凹部６５内に収納された際に、握持部８３の上部が凹部６５から僅かに突出した構造となっているが、皿状部材６１の底部８１は握持部８３に沿って内方へ凹んで、当該握持部８３との間に間隙８７が設けられており、凹部６５から僅かに突出した握持部８３が外方から押圧されると、可撓性を有する握持部８３が間隙８７の方向へ歪むことができるようになっている。
【００３０】
本実施形態に係る釣竿ケース８９はこのように構成されているから、ショルダーベルト３５を肩に掛けて釣竿ケース８９を持ち運ぶ際には、図８及び図９の実線で示すようにハンドル７１全体（握持部８３とリング状係止具８５）を凹部６５内に収納しておけばよく、凹部６５から僅かに突出する握持部８３に身体が当たると、可撓性を有する握持部８３が間隙８７の方向へ歪んで身体に対する圧迫感を軽減する。
【００３１】
そして、ハンドル７１を使用して釣竿ケース８９を持つ際には、上述したように握持部８３を握って引き上げれば、図８の二点鎖線で示すように遊びを以って軸部７７に係止されたリング状係止具８５の係止位置がずれて、握持部８３が撓みながら凹部６５から引き出されることとなる。
従って、本実施形態によっても、既述した各実施形態と同様、所期の目的を達成することが可能で、ショルダーベルト３５を肩に掛けて釣竿ケース８９を持ち運ぶ際に、ハンドル７１による圧迫感が緩和されて釣竿ケース８９の携帯性が良好になると共に、凹部６５内に収納したハンドル７１を容易に外側に引き出すことができるため、ハンドル７１による釣竿ケース８９の持ち運びに何ら支障を来すこともない。
【００３２】
尚、釣竿ケースはショルダーベルト以外の部位を利用して携帯したり磯で受け渡しをすることがあり、釣竿ケースの様々な部位が身体に触れるため、ショルダーベルトの内側以外に設けたハンドルに対応してケース本体に凹部を設けて、夫々のハンドルが凹部内に収納されるように構成することで、ハンドルが身体に当たった場合の圧迫感が緩和される等、同様の効果が得られる。
【図面の簡単な説明】
【００３３】
【図１】請求項１及び請求項２の第一実施形態に係る釣竿ケースの正面図である。
【図２】図１に示す釣竿ケースの要部拡大断面図である。
【図３】図１のIII−III線断面図である。
【図４】請求項１及び請求項２の第二実施形態に係る釣竿ケースの正面図である。
【図５】図４に示す釣竿ケースの要部拡大断面図である。
【図６】図４のVI−VI線断面図である。
【図７】請求項１乃至請求項３の一実施形態に係る釣竿ケースの正面図である。
【図８】図７に示す釣竿ケースの要部拡大断面図である。
【図９】図７のIX−IX線断面図である。
【図１０】従来の釣竿ケースの正面図である。
【符号の説明】
【００３４】
２１  ケース本体
２３，５９，８９  釣竿ケース
２５  ボトムカップ
３３  前側外周面
３５  ショルダーベルト
３７，７１  ハンドル
４１，８３  握持部
４３  ベルト体
５１，５７，６５  凹部
５３，５５  段部
６１  皿状部材
６３  取付フランジ
６７  取付孔
６９  支持部材
７７，７９  軸部
８１  底部
８５  リング状係止具
８７  間隙
【図１】
2006061087.tif 000003
【図２】
2006061087.tif 000004
【図３】
2006061087.tif 000005
【図４】
2006061087.tif 000006
【図５】
2006061087.tif 000007
【図６】
2006061087.tif 000008
【図７】
2006061087.tif 000009
【図８】
2006061087.tif 000010
【図９】
2006061087.tif 000011
【図１０】
2006061087.tif 000012